(57)【要約】  【課題】  映像信号のブランキング期間である21及び284ライン目に重畳されているクローズドキャプション信号を判別するためのスレッシュ値を、ブランキング期間中の数ラインのペデスタルレベルの平均値＋20IREと設定して21ライン目に適用していたが、クローズドキャプション信号が重畳したラインの映像信号レベルが変化した際には最適なスレッシュレベルにならず、検出精度が低下していた。  【解決手段】  従来回路中にあったY/C分離用のラインメモリ12,13とその後段にあるLPF15がラインメモリ通過前の信号にも組込まれていることを利用し、予めラインメモリ12,13を通過する前のLPF21からの映像信号から、スライサ25により映像信号のレベルに応じて変化するスレッシュレベルを事前に算出し、これを用いてCC信号検出回路20によりクローズドキャプション信号を検出するようにしたので、信号レベルが不安定な映像信号でも検出率の低下を抑制できる。  【選択図】  図１
2005348069.tif 000002
【特許請求の範囲】
【請求項１】
アナログ映像信号をデジタル映像信号（以下、映像信号と称す）に変換するA/D変換回路と、
該A/D変換回路からの映像信号を１ライン遅延させる遅延メモリと、
該遅延メモリからの映像信号を輝度信号（以下、Y信号と称す）と色信号（以下、C信号と称す）とに分離するYC分離フィルタと、
該YC分離フィルタからのY信号もしくはC信号のいずれか一方の、クローズドキャプション（Closed Caption；以下、CCと称す）信号を含む映像信号からノイズ等の高域成分を除去する第１のフィルタ回路と、
前記A/D変換回路からの映像信号の高域成分を除去する第２のフィルタ回路と、
該第２のフィルタ回路からの映像信号から水平同期信号と垂直同期信号とを分離する同期分離回路と、
該同期分離回路からの水平同期信号と垂直同期信号とに基づき１フレームのライン数をカウントするラインカウンタと、
前記第２のフィルタ回路からの映像信号と前記ラインカウンタからのカウント値とに基づきCC信号の「１」，「０」信号を検出するためのしきい値（以下、スレッシュレベルと称す）を算出するスレッシュレベル算出回路と、
前記第１のフィルタ回路からの映像信号と前記スレッシュレベル算出回路からのスレッシュレベルとに基づきCC信号を検出するCC信号検出回路とを備えた、
ことを特徴とする著作権信号検出回路。
【請求項２】
アナログ映像信号をデジタル映像信号（以下、映像信号と称す）に変換するA/D変換回路と、
該A/D変換回路からの映像信号を１ライン遅延させる遅延メモリと、
該遅延メモリからの映像信号をY信号 とC信号とに分離するYC分離フィルタと、
該YC分離フィルタからのY信号もしくはC信号のいずれか一方の、CC信号を含む映像信号からノイズ等の高域成分を除去する第１のフィルタ回路と、
前記A/D変換回路からの映像信号の高域成分を除去する第２のフィルタ回路と、
該第２のフィルタ回路からの映像信号から水平同期信号と垂直同期信号とを分離する同期分離回路と、
該同期分離回路からの水平同期信号と垂直同期信号とに基づき１フレームのライン数をカウントするラインカウンタと、
前記第２のフィルタ回路からの映像信号と前記ラインカウンタからのカウント値とに基づきCC信号の「１」，「０」を検出するためのスレッシュレベルを算出する第１のスレッシュレベル算出回路と、
前記ラインカウンタからのカウンタ値と前記同期分離回路からの水平同期信号と前記第２のフィルタ回路からの映像信号とに基づきCC信号の検出パルスであるClock Run Inパルスを検出するためのスレッシュレベルを算出する第２のスレッシュレベル算出回路と、
前記第２のフィルタ回路からの映像信号と前記ラインカウンタからのカウント値と前記第２のスレッシュレベル算出回路からのスレッシュレベルとに基づきCC信号が含まれるラインであるか否かを判別するCC判別回路と、
前記第１のフィルタ回路からの映像信号と前記第１のスレッシュレベル算出回路からのスレッシュレベルと前記CC判別回路からの判別結果とに基づきCC信号が含まれていると判別した時のみ該当ラインからCC信号を検出するCC信号検出回路とを備えた、
ことを特徴とする著作権信号検出回路。
【請求項３】
アナログ映像信号をデジタル映像信号（以下、映像信号と称す）に変換するA/D変換回路と、
該A/D変換回路からの映像信号を１ライン遅延させる遅延メモリと、
該遅延メモリからの映像信号をY信号とC信号とに分離するYC分離フィルタと、
該YC分離フィルタからのY信号もしくはC信号のいずれか一方の、CC信号を含む映像信号からノイズ等の高域成分を除去する第１のフィルタ回路と、
前記A/D変換回路からの映像信号の高域成分を除去する第２のフィルタ回路と、
該第２のフィルタ回路からの映像信号から水平同期信号と垂直同期信号とを分離する同期分離回路と、
該同期分離回路からの水平同期信号と垂直同期信号とから１フレームのライン数をカウントするラインカウンタと、
前記第２のフィルタ回路からの映像信号と前記ラインカウンタからのカウント値とに基づきCC信号の「１」，「０」を検出するためのスレッシュレベルを算出する第１のスレッシュレベル算出回路と、
前記第２のフィルタ回路からの映像信号と前記第１のスレッシュレベル算出回路からのスレッシュレベルとに基づき入力された映像信号が弱電界信号か否かの判定を行う弱電界判別回路と、
前記弱電界判別回路からの判別信号に応じて前記第１のスレッシュレベル算出回路からのスレッシュレベルを変換するスレッシュレベル変換回路と、
前記弱電界判定回路からの判別信号に基づき前記第１のフィルタ回路からの映像信号のダイナミックレンジを変換する映像信号レベル変換回路と、
該映像信号レベル変換回路からの出力信号と前記スライスレベル変換回路からの出力信号と前記ラインカウンタからのカウント値とに基づき２値のクローズドキャプション信号を検出するCC信号検出回路とを備えた、
ことを特徴とする著作権信号検出回路。
【請求項４】
請求項１または２に記載の著作権信号検出回路において、
前記YC分離フィルタからのY信号もしくはC信号のいずれか一方の、CC信号を含む映像信号はY信号であり、
前記第２のフィルタ回路から出力された映像信号と、前記同期分離回路から出力された水平同期信号と、前記ラインカウンタから出力された水平ライン数のカウンタ値と、前記第１のスレッシュレベル算出回路から出力されたスレッシュレベルとを入力として、入力された映像信号が標準信号，非標準信号，弱電界信号のいずれに該当するかを判別し、該判別結果及び弱電界信号レベルを出力するステータス判別回路と、
該ステータス判別回路からの判別結果及び弱電界信号レベルと前記第１のフィルタ回路から出力されたY信号とを入力として、弱電界信号の際に前記Y信号のダイナミックレンジの変換を行う映像信号レベル変換回路と、
前記ステータス判別回路から出力された判別結果及び弱電界信号レベルに応じて、前記第１のスレッシュレベル算出回路から出力されたスレッシュレベルの変換を行うスレッシュレベル変換回路と、
前記ステータス判別回路からの、入力された映像信号が標準信号，非標準信号，弱電界信号のいずれに該当するかを示す判別信号に応じて、前記第１のスレッシュレベル算出回路および映像信号レベル変換回路のいずれのスレッシュレベルを出力するかを切り替えるセレクタとをさらに備え、
前記CC信号検出回路は、前記映像信号レベル変換回路からのY信号と、前記セレクタから出力された、スレッシュレベルと、前記ラインカウンタから出力されたカウンタ値とを入力として２値のクローズドキャプション信号を出力する、
ことを特徴とする著作権信号検出回路。
【請求項５】
請求項４に記載の著作権信号検出回路において、
前記セレクタ群から出力されたクローズドキャプション検出用のスレッシュレベル値を入力として、映像ブランキング期間である所定の２つのラインに重畳されたデジタル録画の複製を制御する著作権信号であるVB-ID信号を検出するためのスレッシュレベルに変換するVB-IDスレッシュレベル変換回路と、
該VB-IDスレッシュレベル変換回路から出力されたVB-ID用スレッシュレベルと、前記セレクタ群から出力されたY信号と、前記ラインカウンタから出力された水平ライン数のカウンタ値を入力として、VB-ID信号の２値信号を検出するVB-ID信号検出回路とをさらに備えることにより、
VB-ID信号検出用のスレッシュレベルの生成とクローズドキャプション信号検出用のスレッシュレベルの生成とで回路全体を共用した、
ことを特徴とする著作権信号検出回路。
【発明の詳細な説明】
【技術分野】
【０００１】
本発明は、映像信号処理の分野に属するものであり、特に、映像信号に重畳された著作権信号の検出を行う著作権信号検出回路に関し、より詳しくは、非標準信号（電波が伝播する過程でビル、山などで干渉が起きた映像信号やノイズが重畳した映像信号等の信号）や弱電界信号の際に、映像信号のブランキング期間に重畳されている著作権信号であるクローズドキャプション信号の検出精度が低下することを抑制できるようにしたものに関する。
【背景技術】
【０００２】
クローズドキャプション信号は文字信号や制御用の信号等の各種情報信号をテレビジョン信号の垂直帰線期間に垂直帰線消去信号と重畳して送出されるものであり、受信側ではクローズドキャプション信号に対応したデコーダを設けることで、文字放送を表示しながら本来の放送を視聴することが可能となる。
【０００３】
ところで、従来のクローズドキャプション信号等の著作権信号検出回路の中には、データバッファメモリを使用して、映像信号の第284ライン目のクローズドキャプション信号に重畳されているXDS（Extended Data Service）と呼ばれる特殊信号を検出することで、映像信号の第１，第2フィールドの入れ替えを行うものがある（例えば特許文献１参照。）。
【０００４】
これは、例えばTBC（タイムベースコレクタ）と呼ばれる同期信号を付け替えるシステムを搭載した映像機器等においては同期信号の付け替え前の映像信号をもとに第１，第２フィールドの判定を行っているが、ノイズ等によりXDS信号の検出性能が低下するとフィールドの判定を誤ることがあり、その対策として、フィールドの入れ替えを行うものである。
【０００５】
以下にこの従来の著作権（クローズドキャプション）信号検出回路を図６，図７，図８を用いて説明する。
図６において、この従来の著作権信号検出回路50は、映像信号入力端子T1と、A/D変換回路11と、ラインメモリ12，13と、加算回路130と、Logical Comb フィルタ14と、LPF1 15と、同期分離回路16と、ラインカウンタ17と、ペデスタルレベル検出回路18と、スライサ19と、CC（Closed Caption）信号検出回路20と、クローズドキャプション信号出力端子T2とからなる。
【０００６】
この著作権信号検出回路50におけるA/D変換回路11は、前記映像信号入力端子T1からのアナログ映像信号ｓ100をデジタル映像信号s101に変換するものである。
そして、ラインメモリ12，13は、それぞれ前記A/D変換回路11からのデジタル映像信号S101 を1ライン分遅延させるものであり、
【０００７】
加算回路130は前記ラインメモリ12,13から出力された映像信号s102と前記A/D変換回路11から出力された映像信号s101とを加算するものであり、
【０００８】
Logical Combフィルタ14は、前記ラインメモリ12,13から出力された映像信号s102と前記A/D変換回路11から出力された映像信号s101との和信号を輝度信号（以下、「Y信号」と称す。）と色信号（以下、「C信号」と称す。）とに分離するものであり、LPF1 15は、前記Logical Combフィルタ14から出力された著作権信号であるクローズドキャプション信号を含んだY信号s103の高域成分を除去するものであり、同期分離回路16は、前記LPF1 15から出力されたY信号s104から水平同期信号s130と垂直同期信号s134とを分離して出力するものであり、ラインカウンタ17は、前記同期分離回路16から出力された水平同期信号s130と垂直同期信号s134とから1フレームの水平ライン数をカウントするものである。
【０００９】
ペデスタルレベル検出回路18は、前記LPF1 15から出力されたY信号s104と前記同期分離回路16から出力された水平同期信号s130と前記ラインカウンタ17から出力されたカウント値s131とから、映像信号の輝度信号と同期信号の基準電位であるペデスタルレベルs135を検出するものであり、
【００１０】
スライサ19は、前記ペデスタルレベル検出回路18からの出力信号（ペデスタルレベル）s135から、クローズドキャプション信号の「１」，「０」を判別するためのスレッシュレベルs133を算出するものである。
【００１１】
CC信号検出回路20は、前記LPF1 15から出力されたY信号s104と前記ラインカウンタ17から出力された水平ライン数を表すカウント値s132と前記スライサ19から出力されたCC信号のスレッシュレベルs133とから、映像信号の第21、第284ラインに重畳された２値のクローズドキャプション信号s110を検出し、CC信号出力端子T2へ出力するものである。
【００１２】
以上のように構成された著作権（クローズドキャプション）信号検出回路50について、図７，図８を用いて説明する。
図７は、映像信号入力端子T1から入力される映像信号の波形を示しており、前記で記載している著作権信号の１つであるクローズドキャプション信号は、映像信号の垂直ブランキング期間（第１フィールドの第21ラインと第２フィールドの第24ライン）に重畳されている。図７の下半分には同図の上半分で示したクローズドキャプション信号が重畳されている映像信号のラインを拡大したものを示しており、クローズドキャプション信号規格を示している。
【００１３】
次に図８を用いて従来の著作権信号検出回路の動作について説明する。
映像信号入力端子T1から入力されたアナログ映像信号s100はA/D変換回路11でデジタル映像信号s101に変換される。前記A/D変換回路11から出力された映像信号s101はラインメモリ12，13によって1ライン分遅延した信号s102として出力され、加算回路130により映像信号s101と加算された後、Logical Combフィルタ14によってY信号s103とC信号とに分離される。前記Logical combフィルタ14から出力された映像信号のうち、クローズドキャプション信号が含まれるY信号s103は、LPF1 15によってノイズ等の高域成分が除去される（図８ A参照）。
【００１４】
前記LPF1 15から出力されたY信号s104を入力として、同期分離回路16で水平同期信号s130（図８ B参照）と垂直同期信号s134とに分離される。前記同期分離回路16から出力された水平同期信号s130と垂直同期信号s134とを入力として、ラインカウンタ17で1フレームの水平ライン数を示すカウンタ値s132が出力される（図８ C参照）。前記同期分離回路16から出力された水平同期信号s130と前記ラインカウンタ17から出力された水平ラインカウンタ値s131と前記LPF1 15から出力されたY信号s104とを基に、ペデスタルレベル検出回路18で、水平ライン第10ライン目から第20ライン目までのペデスタルレベルの平均値s135を算出する（図８ D参照：ここでDに示すebは算出値）。前記ペデスタルレベル検出回路18から出力されたペデスタルレベルs135を入力として、スライサ19でクローズドキャプション信号の「１」，「０」を判別するためのスレッシュレベルs133を算出する（図８ E参照：ここでEに示すabは算出値）。前記LPF1 15からのY信号s104と前記ラインカウンタ17からのカウンタ値s132と前記スライサ19から出力されたスレッシュレベルs133とを基に、CC信号検出回路20においてクローズドキャプション信号s110が検出され（図８ F参照）、CC信号出力端子T2より出力される。
【特許文献１】特開平２００２−３１４９５５号公報（第２−４頁、第７図）
【発明の開示】
【発明が解決しようとする課題】
【００１５】
しかしながら、従来の技術ではクローズドキャプション信号を検出するためのスレッシュレベルを算出する機構として、垂直ブランキング期間の第10ライン〜第20ライン間のペデスタルレベルの平均値に一定値を加算した値をスレッシュレベルとして使用している。
【００１６】
このため、クローズドキャプション信号が重畳したラインの映像信号レベルが変化した際には最適なスレッシュレベルとはならず、結果としてクローズドキャプション信号の検出精度が低下するという課題があった。
【００１７】
この発明は、上記のような従来のものの問題点を解決するためになされたもので、クローズドキャプション信号検出に最適な値を設定することが可能であり、クローズドキャプション信号の検出精度を向上することが可能な著作権信号検出回路を提供することを目的としている。
【課題を解決するための手段】
【００１８】
上記課題を解決するために、本発明の著作権信号検出回路は、クローズドキャプション信号を検出する際、その前段に映像信号を１ライン遅延させるラインメモリが存在すること、およびクローズドキャプション信号検出回路の前段に位置するLPFと、別の機能のために組み込んでいたLPFとが機能的に同等で、且つラインメモリより前段で使用されていることを利用し、ラインメモリを通過する前の信号から、予めクローズドキャプション信号を含むラインのペデスタルレベルを検出してスレッシュレベルを設定し、１ライン遅れた映像信号に前記スレッシュレベルを適用するようにしたものである。
【００１９】
即ち、本発明の請求項１に係る著作権信号検出回路は、アナログ映像信号をデジタル映像信号（以下、映像信号と称す）に変換するA/D変換回路と、該A/D変換回路からの映像信号を１ライン遅延させる遅延メモリと、該遅延メモリからの映像信号を輝度信号（以下、Y信号と称す）と色信号（以下、C信号と称す）とに分離するYC分離フィルタと、該YC分離フィルタからのY信号もしくはC信号のいずれか一方の、クローズドキャプション（Closed Caption；以下、CCと称す）信号を含む映像信号からノイズ等の高域成分を除去する第１のフィルタ回路と、前記A/D変換回路からの映像信号の高域成分を除去する第２のフィルタ回路と、該第２のフィルタ回路からの映像信号から水平同期信号と垂直同期信号とを分離する同期分離回路と、該同期分離回路からの水平同期信号と垂直同期信号とに基づき１フレームのライン数をカウントするラインカウンタと、前記第２のフィルタ回路からの映像信号と前記ラインカウンタからのカウント値とに基づきCC信号の「１」，「０」信号を検出するためのしきい値（以下、スレッシュレベルと称す）を算出するスレッシュレベル算出回路と、前記第１のフィルタ回路からの映像信号と前記スレッシュレベル算出回路からのスレッシュレベルとに基づきCC信号を検出するCC信号検出回路とを備えたものである。
【００２０】
また、本発明の請求項２に係る著作権信号検出回路は、アナログ映像信号をデジタル映像信号（以下、映像信号と称す）に変換するA/D変換回路と、該A/D変換回路からの映像信号を１ライン遅延させる遅延メモリと、該遅延メモリからの映像信号をY信号 とC信号とに分離するYC分離フィルタと、該YC分離フィルタからのY信号もしくはC信号のいずれか一方の、CC信号を含む映像信号からノイズ等の高域成分を除去する第１のフィルタ回路と、前記A/D変換回路からの映像信号の高域成分を除去する第２のフィルタ回路と、該第２のフィルタ回路からの映像信号から水平同期信号と垂直同期信号とを分離する同期分離回路と、該同期分離回路からの水平同期信号と垂直同期信号とに基づき１フレームのライン数をカウントするラインカウンタと、前記第２のフィルタ回路からの映像信号と前記ラインカウンタからのカウント値とに基づきCC信号の「１」，「０」を検出するためのスレッシュレベルを算出する第１のスレッシュレベル算出回路と、前記ラインカウンタからのカウンタ値と前記同期分離回路からの水平同期信号と前記第２のフィルタ回路からの映像信号とに基づきCC信号の検出パルスであるClock Run Inパルスを検出するためのスレッシュレベルを算出する第２のスレッシュレベル算出回路と、前記第２のフィルタ回路からの映像信号と前記ラインカウンタからのカウント値と前記第２のスレッシュレベル算出回路からのスレッシュレベルとに基づきCC信号が含まれるラインであるか否かを判別するCC判別回路と、前記第１のフィルタ回路からの映像信号と前記第１のスレッシュレベル算出回路からのスレッシュレベルと前記CC判別回路からの判別結果とに基づきCC信号が含まれていると判別した時のみ該当ラインからCC信号を検出するCC信号検出回路とを備えたものである。
【００２１】
また、本発明の請求項３に係る著作権信号検出回路は、アナログ映像信号をデジタル映像信号（以下、映像信号と称す）に変換するA/D変換回路と、該A/D変換回路からの映像信号を１ライン遅延させる遅延メモリと、該遅延メモリからの映像信号をY信号とC信号とに分離するYC分離フィルタと、該YC分離フィルタからのY信号もしくはC信号のいずれか一方の、CC信号を含む映像信号からノイズ等の高域成分を除去する第１のフィルタ回路と、前記A/D変換回路からの映像信号の高域成分を除去する第２のフィルタ回路と、該第２のフィルタ回路からの映像信号から水平同期信号と垂直同期信号とを分離する同期分離回路と、該同期分離回路からの水平同期信号と垂直同期信号とから１フレームのライン数をカウントするラインカウンタと、前記第２のフィルタ回路からの映像信号と前記ラインカウンタからのカウント値とに基づきCC信号の「１」，「０」を検出するためのスレッシュレベルを算出する第１のスレッシュレベル算出回路と、前記第２のフィルタ回路からの映像信号と前記第１のスレッシュレベル算出回路からのスレッシュレベルとに基づき入力された映像信号が弱電界信号か否かの判定を行う弱電界判別回路と、前記弱電界判別回路からの判別信号に応じて前記第１のスレッシュレベル算出回路からのスレッシュレベルを変換するスレッシュレベル変換回路と、前記弱電界判定回路からの判別信号に基づき前記第１のフィルタ回路からの映像信号のダイナミックレンジを変換する映像信号レベル変換回路と、該映像信号レベル変換回路からの出力信号と前記スライスレベル変換回路からの出力信号と前記ラインカウンタからのカウント値とに基づき２値のクローズドキャプション信号を検出するCC信号検出回路とを備えたものである。
【００２２】
また、本発明の請求項４に係る著作権信号検出回路は、請求項１または２に記載の著作権信号検出回路において、前記YC分離フィルタからのY信号もしくはC信号のいずれか一方の、CC信号を含む映像信号はY信号であり、前記第２のフィルタ回路から出力された映像信号と、前記同期分離回路から出力された水平同期信号と、前記ラインカウンタから出力された水平ライン数のカウンタ値と、前記第１のスレッシュレベル算出回路から出力されたスレッシュレベルとを入力として、入力された映像信号が標準信号，非標準信号，弱電界信号のいずれに該当するかを判別し、該判別結果及び弱電界信号レベルを出力するステータス判別回路と、該ステータス判別回路からの判別結果及び弱電界信号レベルと前記第１のフィルタ回路から出力されたY信号とを入力として、弱電界信号の際に前記Y信号のダイナミックレンジの変換を行う映像信号レベル変換回路と、前記ステータス判別回路から出力された判別結果及び弱電界信号レベルに応じて、前記第１のスレッシュレベル算出回路から出力されたスレッシュレベルの変換を行うスレッシュレベル変換回路と、前記ステータス判別回路からの、入力された映像信号が標準信号，非標準信号，弱電界信号のいずれに該当するかを示す判別信号に応じて、前記第１のスレッシュレベル算出回路および映像信号レベル変換回路のいずれのスレッシュレベルを出力するかを切り替えるセレクタとをさらに備え、前記CC信号検出回路は、前記映像信号レベル変換回路からのY信号と、前記セレクタから出力された、スレッシュレベルと、前記ラインカウンタから出力されたカウンタ値とを入力として２値のクローズドキャプション信号を出力するようにしたものである。
【００２３】
また、本件の請求項５に係る著作権信号検出回路は、請求項４に記載の著作権信号検出回路において、前記セレクタ群から出力されたクローズドキャプション検出用のスレッシュレベル値を入力として、映像ブランキング期間である所定の２つのラインに重畳されたデジタル録画の複製を制御する著作権信号であるVB-ID信号を検出するためのスレッシュレベルに変換するVB-IDスレッシュレベル変換回路と、該VB-IDスレッシュレベル変換回路から出力されたVB-ID用スレッシュレベルと、前記セレクタ群から出力されたY信号と、前記ラインカウンタから出力された水平ライン数のカウンタ値を入力として、VB-ID信号の２値信号を検出するVB-ID信号検出回路とをさらに備えることにより、VB-ID信号検出用のスレッシュレベルの生成とクローズドキャプション信号検出用のスレッシュレベルの生成とで回路全体を共用するようにしたものである。
【発明の効果】
【００２４】
上記構成により、本発明の著作権信号検出回路は、Y/C分離用に使用されていたラインメモリと他機能に使用されていたLPF回路とを利用することで、回路規模の増加を最小限に抑えてクローズドキャプション信号を検出する際に使われるスレッシュレベルを最適な値に設定でき、且つクローズドキャプション信号が重畳されているラインか否かを判別する構成を有したことにより、入力された映像信号が非標準である場合にも、誤ったクローズドキャプション信号の出力を抑制でき、同様に弱電界信号である場合においても、クローズドキャプション信号の検出精度を向上させることができる。また、VB-ID信号の検出回路の一部を共有化させることにより回路の効率化を実現できる。
【発明を実施するための最良の形態】
【００２５】
以下、本発明の実施の形態について、図面を参照しながら説明する。
（実施の形態１）
図１は、本発明の実施の形態１による著作権信号検出回路を示している。図１において、T1はアナログ映像信号入力端子、11はA/D変換回路、12，13はラインメモリ（遅延メモリ）、130は加算回路、14はLogical Combフィルタ（ＹＣ分離フィルタ）、15はLPF1（第１のフィルタ回路）、21はLPF2（第２のフィルタ回路）、22はGCP（ゲートクランプパルス）、23は同期分離回路、24はラインカウンタ、25はスライサ（スレッシュレベル算出回路）、20はCC（Closed Caption）信号検出回路である。
【００２６】
以上のように構成された著作権信号検出回路について、以下に図９を用いて、その動作の概要について説明する。
映像信号入力端子T1から入力されたアナログ映像信号s100はA/D変換回路11でデジタル映像信号s101に変換される。前記A/D変換回路11から出力された映像信号s101はラインメモリ12，13によって1ライン分遅延した信号s102として出力され、加算回路130により映像信号s101と加算された後、Logical Combフィルタ14によってY信号s103とC信号とに分離される。前記Logical combフィルタ14から出力された映像信号のうち、クローズドキャプション信号が含まれるY信号s103は、LPF1 15によってノイズ等の高域成分が除去される。前記LPF2 21は元々ゲートクランプパルス（GCP）22と呼ばれる信号の検出用に設けられていた回路であり、LPF1 15と同等の性能を持つLPFである。前記LPF2 21から出力された信号（図9 G参照）s105を入力として、同期分離回路23で水平同期信号（図９ H参照）s106と垂直同期信号とを分離する。前記同期分離回路23から出力された水平同期信号s106と垂直同期信号とを入力として、ラインカウンタ24で1フレームの水平ライン数をカウントする（図９ I参照）。前記ラインカウンタ24からのカウント値s107と前記LPF2からの映像信号s105とを入力として、スライサ25で著作権（クローズドキャプション）信号が重畳されている第21，第284ラインから著作権信号の検出パルスであるClock Run In（図７参照）を検出し、その最大値と最小値の平均値を著作権信号検出のスレッシュレベルs108（図９ J参照）としてCC信号検出回路20へ出力する。
【００２７】
次にCC信号検出回路20に入力される映像信号について説明する。
前記A/D変換回路11で、デジタル映像信号に変換された映像信号s101はラインメモリ12及び13で１ライン分遅延され、前記ラインメモリ12、13から出力された映像信号s102と、前記A/D変換回路11から出力された映像信号s101とを基に、Logical Combフィルタ14で、Y信号s103とC信号とに分離される。
【００２８】
今回説明する著作権（クローズドキャプション）信号はY信号に重畳されているので、以降はこのY信号について説明を行う。前記Logical Combフィルタ14から出力されたY信号s103は、LPF1 15でノイズ成分などの高域成分を除去され、この高域成分を除去した映像信号（図９ K参照）s104をCC信号検出回路20へ出力する。
【００２９】
前記ラインカウンタ24から出力された水平ラインのカウント値s109と、前記スライサ25から出力されたクローズドキャプション信号のスレッシュレベルs108と、前記LPF1 15から出力されたY信号s104とを入力としてCC信号検出回路20でクローズドキャプション信号（図９ L参照）の検出を行うが、クローズドキャプション信号が重畳されたY信号s104をスレッシュするためのスレッシュレベルを、クローズドキャプション信号のスレッシュレベルs108のように、ラインメモリを通る前、即ちクローズドキャプション信号を検出する１ライン前の映像信号を利用して、事前にこれを算出しておき、前記ラインメモリ12，13を経由してLPF1 15から出力されたY信号s104に、前記スレッシュレベルs108を適用することで、クローズドキャプション信号の重畳されたラインから算出したスレッシュレベルを使用して検出を行い、検出したクローズドキャプション信号s110をCC信号出力端子T2から出力する。
【００３０】
このため、従来例では標準信号に対し固定であったクローズドキャプション信号検出波感度をスレッシュレベルに応じて変化させることが可能となり、これによりクローズドキャプション信号の検出効率を向上できる。
【００３１】
以上のように、本実施の形態１による著作権信号検出回路によれば、アナログ信号をデジタル信号に変換するA/D変換回路と、前記A/D変換回路からの映像信号を１ライン遅延させるラインメモリと、前記ラインメモリから出力された映像信号から輝度信号と色信号（以下、Y信号、C信号と呼ぶ）に分離するLogial Combフィルタと、前記Logical combフィルタからの映像信号からノイズ等の高域成分を除去するLPF1（Low Pass Filter）と、前記A/D変換回路からの映像信号の高域成分を除去するLPF2と、前記LPF2からの映像信号から水平同期信号と垂直同期信号を検出する同期分離回路と、前記同期分離回路からの水平同期信号と垂直同期信号から１フレームのライン数をカウントするラインカウンタと、前記LPF2からの映像信号と前記ラインカウンタからのカウント値からクローズドキャプション信号の「１」、「０」信号を検出するためのスレッシュレベルを算出するスライサと、前記LPF1からの映像信号と前記ラインカウンタからのカウント値と前記スライサからのスレッシュレベルとからクローズドキャプション信号を検出するCC（Closed Caption）信号検出回路とで著作権信号検出回路を構成し、元々の映像信号処理回路の中にあったY/C分離用のラインメモリを利用することで、クローズドキャプション信号の重畳したラインそのものからスレッシュレベルを予め算出しておき、その検出したスレッシュレベルの変動状況に応じたクローズドキャプション信号検出を行うことが可能なようにしたので、不安定なレベルで入力された映像信号に対してもクローズドキャプション信号の検出率の低下を抑制でき、クローズドキャプション信号の検出精度を向上することが可能となる効果が得られる。
【００３２】
（実施の形態２）
図２は、本発明の実施の形態２による著作権信号検出回路を示している。図２において、T1はアナログ映像信号入力端子、11はA/D変換回路、12，13はラインメモリ、14はLogical Combフィルタ、15はLPF1、21はLPF2、22はGCP（ゲートクランプパルス）、23は同期分離回路、24はラインカウンタ、25はスライサ、26は判別スライサ（第２のスレッシュレベル算出回路）、27はクローズドキャプション（CC）判別回路、28はセレクタ、29はCC信号検出回路である。
【００３３】
以上のように構成された著作権信号検出回路について、以下に図９を用いて、その動作の概要について説明するが、実施の形態１と同様のものについては、説明を省略する。
【００３４】
図２の判別スライサ26は、前記LPF2 21から出力された映像信号s105と、前記ラインカウンタ24から出力されたライン数のカウント値s107と、前記同期分離回路23から出力された水平同期信号s106とを入力として、ペデスタルレベルの算出と、ペデスタルレベルに信号振幅25IRE（Institute of Radio Engineers；図７参照）を加算した値をClock Run Inのパルスを検出するために使用するスレッシュレベルs111として出力する。前記ラインカウンタ24でカウントされたラインカウント値s107と、前記スライサ25からの著作権信号検出のスレッシュレベルs108と、前記判別スライサ26から出力されたClock Run In判別用のスレッシュレベルs111と、前記LPF2 21から出力された映像信号s105とを入力として、CC判別回路27で、映像信号に重畳している信号がクローズドキャプション信号であるか否かの判別を行う。その判別方法としては、前記判別スライサ26から出力された判別スレッシュレベルs111に対して、第21，第284ライン目に重畳されたClock Run Inパルスが一定数以上検出されたか否かで、当該ラインがクローズドキャプション信号が重畳されたラインであるか否かを判別し、判別結果s112を出力する方法がある。
【００３５】
セレクタ28は、前記CC判別回路27から出力された判別結果s112と、前記スライサ25から出力されたスレッシュレベルs108とを入力として、判別結果s112を基に、スレッシュレベルs108、或いはクローズドキャプション信号が重畳されていないことを示す所定値ｃのいずれかを出力する。前記セレクタ28から出力された信号s113と、前記ラインカウンタ24から出力されたカウント値s107と、前記LPF1から出力されたY信号s104とを入力として、CC信号検出回路29でクローズドキャプション信号の検出を行う。この際、前記セレクタ28から出力された信号s113が、所定値cであった場合には、CC信号検出回路29でクローズドキャプション信号を検出せずにLPF1 15の出力信号s104を直接CC信号出力端子T2へ出力する。
【００３６】
このため、入力された映像信号が非標準信号である場合、ラインカウンタがカウントエラーを起こし、元々クローズドキャプション信号が重畳されていないラインを、クローズドキャプション信号が重畳されたラインと誤判定してしまうのを、CC判別回路27により判別スレッシュレベルs111に対して、第21，第284ライン目に重畳されたClock Run Inパルスが一定数以上検出されたか否かで、当該ラインがクローズドキャプション信号が重畳されたラインであるか否かを判別することで防止することが可能となる。
【００３７】
以上のように、本実施の形態２による著作権信号検出回路によれば、実施の形態１による著作権信号検出回路におけるLPF2から出力された映像信号と、ラインカウンタから出力されたカウント値と、同期分離回路から出力された水平同期信号とからClock Run In判別用のスレッシュレベルを検出する判別スライサと、前記LPF2から出力された映像信号と、前記ラインカウンタから出力されたカウント値と、前記スライサから出力されたスレッシュレベルと、前記判別スライサから出力された判別スレッシュレベルとから、クローズドキャプション信号が含まれるラインであるかを判別するCC（Closed Caption）判別回路と、前記CC判別回路からの判別結果で、前記スライサからのスレッシュレベルか固定値のどちらを出力するか選択するセレクタと、前記LPF1からの映像信号と前記スライサからのスレッシュレベルと前記CC判別回路からの判別結果から、CCが含まれていると判別した時のみ該当ラインからCC信号を検出するCC信号検出回路とから著作権信号検出回路を構成し、非標準信号が入力された場合にラインカウンタが誤動作し、誤ったラインからクローズドキャプション信号を検出するのを、ラインカウンタの誤動作を予め検出することで回避できるようにしたので、クローズドキャプション信号検出機能が誤作動を起こすことを抑制することができる。
【００３８】
（実施の形態３）
図３は、本発明の実施の形態３による著作権信号検出回路を示している。図３において、T1はアナログ映像信号入力端子、11はA/D変換回路、12，13はラインメモリ、130は加算回路、14はLogical Combフィルタ、15はLPF1、21はLPF2、22はGCP（ゲートクランプパルス）、23は同期分離回路、24はラインカウンタ、25はスライサ、30は弱電界判別回路、31はスライスレベル変換回路（スレッシュレベル変換回路）、32は映像信号レベル変換回路、20はCC信号検出回路である。
【００３９】
以上のように構成された著作権信号検出回路について、以下に図９を用いて、その動作概要について説明する。なお、実施の形態１，２と同様のものについては説明を省略する。
前記LPF2 21から出力された映像信号s105と、前記同期分離回路23から出力された水平同期信号s106とを入力として、弱電界判別回路30で、入力された信号が弱電界信号であるか否かの判別を行い、その判別結果及び弱電界レベルs114を出力する。スライスレベル変換回路31及び映像信号レベル変換回路32は前記弱電界判別回路30から出力された判別結果及び弱電界レベルs114を入力として、該弱電界レベルs114の値から、前記LPF1 15から出力されたY信号s104を弱電界レベルs114の値に応じたY信号s115値に変換し、前記スライサ25から出力されたスレッシュレベルs108のダイナミックレンジを変換したスレッシュレベルs116を出力する。前記映像信号レベル変換回路32から出力されたY信号s115と前記スライスレベル変換回路31から出力されたスレッシュレベルs116と前記ラインカウンタ24から出力されたラインカウンタs107を入力としてCC信号検出回路20でクローズドキャプション信号を検出しCC信号出力端子T2へ出力する。
【００４０】
このため、弱電界レベルに応じてＹ信号の値を変換できスレッシュレベルのダイナミックレンジを変換できるので、入力された映像信号が弱電界信号であってもクローズドキャプション信号の検出精度の低下を防止できる。
【００４１】
以上のように、本実施の形態３による著作権信号検出回路によれば、実施の形態１の著作権信号検出回路記載のLPF2から出力された映像信号と、スライサから出力されたスレッシュレベルと、同期分離回路から出力された水平同期信号を基に、入力された映像信号が弱電界信号であるか否かを判別する弱電界判別回路と、前記スライサから出力されたスレッシュレベルを基に、弱電界信号の際に弱電界レベルに応じてスレッシュレベルを変換するスレッシュレベル変換回路と、前記LPF1からのY信号と前記弱電界判別回路から出力された判別結果及び弱電界レベルを基に、前記LPF1からの映像信号全体のダイナミックレンジを変換する映像信号レベル変換回路と、前記映像信号レベル変換回路からの出力信号と前記スライスレベル変換回路からの出力信号と前記ラインカウンタからのカウント値から、クローズドキャプション信号の検出を行うCC信号検出回路とから著作権信号検出回路を構成したので、入力された映像信号が弱電界信号で信号レベルが下がった場合でも、弱電界のレベルに応じて映像信号全体のダイナミックレンジを調整することで、クローズドキャプション信号の検出精度の低下を抑制することができる。
【００４２】
（実施の形態４）
図４は、本発明の実施の形態４による著作権信号検出回路を示している。図４において、T1はアナログ映像信号入力端子、11はA/D変換回路、12，13はラインメモリ、130は加算回路、14はLogical Combフィルタ、15はLPF1、21はLPF2、22はGCP（ゲートクランプパルス）、23は同期分離回路、24はラインカウンタ、25はスライサ、33はステータス判別回路、31はスライスレベル変換回路（スレッシュレベル変換回路）、32は映像信号レベル変換回路、28,34,35はセレクタ、20はCC信号検出回路である。
【００４３】
以上のように構成された著作権信号検出回路について、以下に図９を用いて、その動作概要について説明する。なお、実施の形態1,2,3と同様のものについては説明を省略する。
前記ラインカウンタ24から出力された水平ライン数のカウンタ値s107と、前記スライサ25から出力されたスレッシュレベルs108と、前記同期分離回路23から出力された水平同期信号s106と、前記LPF2 21から出力された映像信号s105とを基に、ステータス信号判別回路33で、入力された映像信号s105が標準信号，非標準信号，弱電界信号のいずれに該当するかの判別を行う。その判別手法としては、前記LPF2 21から出力された映像信号s105のライン数が第21，第284ライン目であるときに、クローズドキャプション信号判別パルスであるRun In Pulse（図７参照）が検出されたか否かによって標準信号か非標準信号かの判別を行い、且つ、前記映像信号s105のペデスタルレベルを標準信号時のレベルと比較することによって、弱電界信号であるか否かの判別を行い、その判別結果及び弱電界レベルs117を出力する。
【００４４】
判別結果が弱電界信号と判別された場合は、前記LPF1 15から出力された映像信号s104と前記ステータス判別回路33から出力された判別結果及び弱電界信号レベルs117及び前記スライサ25から出力されたスレッシュレベルs108と前記判別結果及び弱電界信号レベルs117、をそれぞれの入力として、前記実施の形態3で記載した映像信号レベル変換回路32及びスレッシュレベル変換回路31で、前記LPF1 15から出力された映像信号s104のダイナミックレンジと前記スライサ25のスレッシュレベルの変換処理を行う。
【００４５】
セレクタ28では、前記入力映像信号s105が標準信号の場合にはスライサ25からの出力値を、非標準信号の場合には所定値cをそれぞれ出力し、セレクタ34、及び35では、弱電界信号であった場合にはセレクタを「1」、それ以外の時にはセレクタを「0」に切り替えて出力する。前記ラインカウンタ25からの水平ライン数のカウンタ値s107と、前記セレクタ35から出力された映像信号s118と、前記セレクタ34から出力されたs119を入力として、CC信号検出回路20でクローズドキャプション信号の検出を行い、CC信号出力端子T2からクローズドキャプション信号s110を出力する。
【００４６】
このため、入力された映像信号が弱電界信号の場合、弱電界レベルに応じてＹ信号の値が変換されるとともにスレッシュレベルのダイナミックレンジが変換された状態でクローズドキャプション信号検出を行い、非標準信号の場合はスレッシュレベルを所定値としてLPF1 15を通過したY信号s104に対しクローズドキャプション信号検出を行うことが可能となり、入力された信号が標準信号，非標準信号，弱電界信号のいずれの状態かに応じて適応的にクローズドキャプション信号の検出を行うことが可能となる。
【００４７】
以上のように、本実施の形態４による著作権信号検出回路によれば、実施の形態３の著作権信号検出回路記載のスライサから出力されたスレッシュレベルと、ラインカウンタから出力された水平ライン数のカウント値と、同期分離回路から出力された水平同期信号とLPF2から出力された映像信号を基に、入力された信号が標準信号，非標準信号，弱電界信号かの状態判別を行うステータス判別回路と、前記ステータス判別回路からの出力信号からそれぞれの状態に適した映像信号及びスレッシュレベルを設定するセレクタ回路を付加することで、著作権信号検出回路を構成し、入力された信号が標準信号，非標準信号，弱電界信号のいずれかを判別するステータス判別回路を付加することにより、信号の状態を自動で判別し、且つ、それぞれの状態に対応した処理を施すことができる。
【００４８】
（実施の形態５）
図５は、本発明の実施の形態５による著作権信号検出回路を示している。図５において、T1はアナログ映像信号入力端子、11はA/D変換回路、12，13はラインメモリ、130は加算回路、14はLogical Combフィルタ、15はLPF1、21はLPF2、22はGCP（ゲートクランプパルス）、23は同期分離回路、24はラインカウンタ、25はスライサ、33はステータス判別回路、31はスライスレベル変換回路、32は映像信号レベル変換回路、28,34,35はセレクタ、20はCC信号検出回路、36はVB-IDスレッシュレベル変換回路、37はVB-ID検出回路である。
【００４９】
以上のように構成された著作権信号検出回路について、以下に図９を用いて、その動作概要について説明する。なお、実施の形態1,2,3,4と同様のものについては説明を省略する。
前記実施の形態４で記載したセレクタ34から出力されたクローズドキャプション検出用のスレッシュレベル値s119を入力として、VB-IDスレッシュレベル変換回路36で、図１０に示した映像ブランキング期間である第20，第283ラインに重畳されたVB-ID信号を検出するためのスレッシュレベルs121に変換する。
【００５０】
ここで、VB-ID信号とは、前記のように映像ブランキング期間の第20，第283ラインに重畳されているデジタルビジョン信号のデジタル録画を行う際の複製のコントロールを行う著作権信号であり、クローズドキャプション信号の１ライン前に重畳されている。２値信号であらわすクローズドキャプション信号の「１」が信号振幅50IRE、「0」が振幅0IREで表されるのに対し、VB-ID信号は「１」が信号振幅70IRE、「0」が信号振幅0IREで表される。
【００５１】
前記VB-IDスレッシュレベル変換回路36から出力されたVB-ID用スレッシュレベルs121と、前記実施の形態４で記載したセレクタ35から出力されたY信号ｓ118と、前記ラインカウンタ24から出力された水平ライン数のカウンタ値s107を入力として、VB-ID信号検出回路37でVB-ID信号の2値信号s122を検出し、VB-ID信号出力端子T3から出力される。
【００５２】
このため、VB-ID検出回路と、VB-IDスレッシュレベル変換回路とを追加したことにより、回路全体を、クローズドキャプション信号検出用スレッシュレベルと、VB-ID信号検出用のスレッシュレベルとの生成で共用することが可能となる。
【００５３】
以上のように、本実施の形態５による著作権信号検出回路によれば、実施の形態４の著作権信号検出回路記載のラインカウンタから出力されたカウント値とLPF2から出力された映像信号を基に、NTSCの民生用デジタルビデオレコーダのデジタル録画を行う際に複数回コピーすることを抑制することを目的とした著作権情報であるVB-ID信号が重畳されているライン（20、283ライン）を判別するCC-VBID検出回路と、クローズドキャプション信号検出用のスレッシュレベルをVB-ID信号検出用のスレッシュレベルに変換するVB-IDスレッシュレベル変換回路とを追加することで、それ以外の回路全体を、クローズドキャプション信号検出用スレッシュレベルと、VB-ID信号検出用のスレッシュレベルとの生成に共用することができ、回路の効率化を実現できる。
【００５４】
なお、上記実施の形態５では、実施の形態４に対しCC-VBID検出回路とスレッシュレベル変換回路とを追加したが、前記実施の形態１ないし３に対してもCC-VBID検出回路とスレッシュレベル変換回路とを追加してもよく、実施の形態５と同様の特徴をもたせることが可能である。
【産業上の利用可能性】
【００５５】
本発明にかかる著作権信号検出回路は、非標準信号や弱電界信号の判定を行い、それぞれに応じた対策を講じることにより、標準信号だけでなく、非標準信号や弱電界信号の際にも著作権信号の検出精度低下を抑制するものとして有用である。
【図面の簡単な説明】
【００５６】
【図１】本発明の実施の形態１による著作権信号検出回路を示す構成図
【図２】本発明の実施の形態２による著作権信号検出回路を示す構成図
【図３】本発明の実施の形態３による著作権信号検出回路を示す構成図
【図４】本発明の実施の形態４による著作権信号検出回路を示す構成図
【図５】本発明の実施の形態５による著作権信号検出回路を示す構成図
【図６】従来回路の著作権信号検出回路を示す構成図
【図７】クローズドキャプション信号の説明図（NTSC）
【図８】本発明に対する従来回路の著作権信号検出回路のタイミングチャートを示す図
【図９】本発明の実施の形態１，２による著作権信号検出回路のタイミングチャートを示す図
【符号の説明】
【００５７】
T1  アナログ映像信号入力端子
T2   CC（クローズドキャプション）信号出力端子
T3  VB-ID信号出力端子
11  A/D変換回路
12，13  ラインメモリ
14  Logical Combフィルタ
15  LPF（Low Pass Filter）1
16  同期分離回路
17  ラインカウンタ
18  ペデスタルレベル検出回路
19  スライサ
20  CC信号検出回路
21  LPF2
22  GCP（Gate Clamp Pulse）
23  同期分離回路
24  ラインカウンタ
25  スライサ
26  判別スライサ
27  CC判別回路
29  CC信号検出回路
30  弱電界判別回路
31  スライスレベル変換回路
32  映像信号レベル変換回路
33  ステータス判別回路
36  VB-ID信号用スレッシュレベル変換回路
37  VB-ID信号検出回路
s100  アナログ映像信号
s101  デジタル映像信号
s103  Y信号
s104  高域成分除去後のY信号
s106  水平・垂直同期信号
s107  水平ラインカウント値
s108  CC信号スレッシュレベル
s110  CC信号
s111  CC判別用スレッシュレベル
s112  CC判別結果
s114  弱電界判別結果及び弱電界レベル
s117  ステータス判別結果
【図１】
2005348069.tif 000003
【図２】
2005348069.tif 000004
【図３】
2005348069.tif 000005
【図４】
2005348069.tif 000006
【図５】
2005348069.tif 000007
【図６】
2005348069.tif 000008
【図７】
2005348069.tif 000009
【図８】
2005348069.tif 000010
【図９】
2005348069.tif 000011